(57)【要約】      （修正有）【課題】人体と乳房に拘束と傷害がなく、つけ心地がよく、設計がおしゃれでシンプルである弾性フレーム付きブラジャを提供する。【解決手段】表地とバック肩紐とを含む弾性フレーム付きブラジャは、弾性フレームをさらに含む。表地は、弾性フレームを覆うように弾性フレームに固定され、弾性フレームは、複数の弾性材料バーを接続して形成され、カップエッジフロント肩バー２、トップウィングフロント肩バー３、バックウィングバー４、ボトムカップバー５、フックアイバー６及びアンダーバストバー８、９、１０から構成される。【選択図】図１
0003229453.tif 000002
【実用新案登録請求の範囲】
【請求項１】
表地とバック肩紐とを含む弾性フレーム付きブラジャであって、
弾性フレームをさらに含み、
前記表地は、前記弾性フレームを覆うように前記弾性フレームに固定され、
前記弾性フレームは、複数の弾性材料バーを接続して形成され、カップエッジフロント肩バー、トップウィングフロント肩バー、バックウィングバー、ボトムカップバー、フックアイバー及びアンダーバストバーから構成され、
前記アンダーバストバーは、前記弾性フレームの最下方に設けられる横バーであり、
前記フックアイバーは、縦方向の上端が外側に傾斜して設けられ、
二つの前記フックアイバーは、下端がそれぞれ前記アンダーバストバーの両端に接続され、
二つの前記カップエッジフロント肩バーは、下端を接続して逆八字型となるように前記アンダーバストバーの上方中間位置に設けられ、
前記バックウィングバーは、円弧状をなすように上方に湾曲し、
二つの前記バックウィングバーは、下端がそれぞれ対応する前記フックアイバーの上端と接続され、
前記トップウィングフロント肩バーは、内側の下方に向く１／４の円の円弧状に形成され、
二つの前記トップウィングフロント肩バーは、水平端がそれぞれ対応する前記バックウィングバーの上端と接続され、垂直端がそれぞれ対応する前記カップエッジフロント肩バーの上端と接続され、
前記ボトムカップバーは、接続する二つの半円弧状に形成され、前記アンダーバストバーの中間の上方の二つの前記カップエッジフロント肩バーの下に設けられ、
前記ボトムカップバーは、両端がそれぞれ前記トップウィングフロント肩バーに固定して接続される、
ことを特徴とする弾性フレーム付きブラジャ。
【請求項２】
請求項１に記載の弾性フレーム付きブラジャであって、
センターバーをさらに含み、
前記アンダーバストバーは、トップアンダーバストバー、ボトムアンダーバストバーとカップバーとから構成され、
前記カップバーは、上方に突出する人字型に形成されるようにボトムアンダーバストバーの中間に設けられ、
前記カップバーは、下方に位置する両端がそれぞれボトムアンダーバストバーと接続され、
トップアンダーバストバーは、両側がボトムアンダーバストバーと平行に設けられ、
トップアンダーバストバーは、中間部が上方に向いて突出するようにボトムカップフレームの二つの半円弧の中間の下方とカップバーの上方との間に位置し、
二つのセンターバーは、水平にカップバー内に設けられ、
センターバーは、両端がそれぞれカップバーの両側と接続される、
ことを特徴とする弾性フレーム付きブラジャ。
【請求項３】
請求項２に記載の弾性フレーム付きブラジャであって、
円弧状のカップリブをさらに含み、
複数のカップリブは、それぞれボトムカップバーの二つの半円弧状の外側に設けられ、
カップリブは、上端及び下端がそれぞれ対応するトップウィングフロント肩バー及びトップアンダーバストバーと接続される、
ことを特徴とする弾性フレーム付きブラジャ。
【考案の詳細な説明】
【技術分野】
【０００１】
本考案は、弾性フレーム付きブラジャに関する。
【背景技術】
【０００２】
従来のブラジャは、全部弾性布地で縫ってから作製されている。支えられる必要のあるカップが変形しないため、ワイヤをつけなければならないし、ワイヤから皮膚を保護するためにスポンジもつけなければならない。そうすると工芸が複雑で、全体の弾性が悪く、作られた製品も分厚いから、見栄えも影響する。
【考案の概要】
【０００３】
従って、本考案の主要目的は、一つの弾性フレーム付きのブラジャを提供することである。本考案よれば、弾性フレームを弾性材料条から制作し、布地を弾性フレームに覆ってから固定する。弾性フレームは女性の人間工学と力学原理に基づいて設計し、人体と乳房に拘束と傷害がない。つけ心地がよく、設計がおしゃれでシンプルである。
【０００４】
上記目的を実現するため、本考案に係る態様によれば、表地とバック肩紐とを含む弾性フレーム付きブラジャであって、弾性フレームをさらに含み、前記表地は、前記弾性フレームを覆うように前記弾性フレームに固定され、前記弾性フレームは、複数の弾性材料バーを接続して形成され、カップエッジフロント肩バー、トップウィングフロント肩バー、バックウィングバー、ボトムカップバー、フックアイバー及びアンダーバストバーから構成され、前記アンダーバストバーは、前記弾性フレームの最下方に設けられる横バーであり、前記フックアイバーは、縦方向の上端が外側に傾斜して設けられ、二つの前記フックアイバーは、下端がそれぞれ前記アンダーバストバーの両端に接続され、二つの前記カップエッジフロント肩バーは、下端を接続して逆八字型となるように前記アンダーバストバーの上方中間位置に設けられ、前記バックウィングバーは、円弧状をなすように上方に湾曲し、二つの前記バックウィングバーは、下端がそれぞれ対応する前記フックアイバーの上端と接続され、前記トップウィングフロント肩バーは、内側の下方に向く１／４の円の円弧状に形成され、二つの前記トップウィングフロント肩バーは、水平端がそれぞれ対応する前記バックウィングバーの上端と接続され、垂直端がそれぞれ対応する前記カップエッジフロント肩バーの上端と接続され、前記ボトムカップバーは、接続する二つの半円弧状に形成され、前記アンダーバストバーの中間の上方の二つの前記カップエッジフロント肩バーの下に設けられ、前記ボトムカップバーは、両端がそれぞれ前記トップウィングフロント肩バーに固定して接続される弾性フレーム付きブラジャが提供される。
【０００５】
また、本態様では、弾性フレーム付きブラジャは、センターバーをさらに含み、前記アンダーバストバーは、トップアンダーバストバー、ボトムアンダーバストバーとカップバーとから構成され、前記カップバーは、上方に突出する人字型に形成されるようにボトムアンダーバストバーの中間に設けられ、前記カップバーは、下方に位置する両端がそれぞれボトムアンダーバストバーと接続され、トップアンダーバストバーは、両側がボトムアンダーバストバーと平行に設けられ、トップアンダーバストバーは、中間部が上方に向いて突出するようにボトムカップフレームの二つの半円弧の中間の下方とカップバーの上方との間に位置し、二つのセンターバーは、水平にカップバー内に設けられ、センターバーは、両端がそれぞれカップバーの両側と接続される。
【０００６】
また、本態様では、弾性フレーム付きブラジャは、円弧状のカップリブをさらに含み、複数のカップリブは、それぞれボトムカップバーの二つの半円弧状の外側に設けられ、カップリブは、上端及び下端がそれぞれ対応するトップウィングフロント肩バー及びトップアンダーバストバーと接続される。
【０００７】
上記態様によれば、以下の効果を奏する。弾性フレームを材料条から作製し、布地を弾性フレームに覆ってから固定する。弾性フレームの中のボトムカップフレームは側面から乳房を支えて安定させ、引き締める拘束感がない。同時に、センターフレームは拘束感がないながら、しっかりと下から乳房を支える。弾性フレームは女性の人間工学と力学原理に基づいて設計し、人体と乳房に拘束と傷害がない。つけ心地がよく、設計がおしゃれでシンプルである。
【図面の簡単な説明】
【０００８】
【図１】本考案の正面輪郭概略図である。
【図２】本考案の弾性フレームの全体構造概略図である。
【考案を実施するための形態】
【０００９】
以下、図面を参照しながら本考案に係る実施形態について詳細に説明する。
【００１０】
図１及び図２に示すように、本実施形態に係る弾性フレーム付きブラジャは、表地１とバック肩紐のほか、弾性フレームも含む。表地１は、弾性フレームを覆うように弾性フレームに固定される。弾性フレームは、複数の弾性材料バーを接続して形成され、カップエッジフロント肩バー２、トップウィングフロント肩バー３、バックウィングバー４、ボトムカップバー５、フックアイバー６及びアンダーバストバーから構成される。アンダーバストバーは、弾性フレームの最下方に設けられる横バーであり、フックアイバー６は、縦方向の上端が外側に傾斜して設けられ、二つのフックアイバー６は、下端がそれぞれアンダーバストバーの両端に接続され、二つのカップエッジフロント肩バー２は、下端を接続して逆八字型となるようにアンダーバストバーの上方中間位置に設けられ、バックウィングバー４は、円弧状をなすように上方に湾曲し、二つのバックウィングバー４は、下端がそれぞれ対応するフックアイバー６の上端と接続され、トップウィングフロント肩バー３は、内側の下方に向く１／４の円の円弧状に形成され、二つのトップウィングフロント肩バー３は、水平端がそれぞれ対応するバックウィングバー４の上端と接続され、垂直端がそれぞれ対応するカップエッジフロント肩バー２の上端と接続され、ボトムカップバー５は、接続する二つの半円弧状に形成され、アンダーバストバーの中間の上方の二つのカップエッジフロント肩バー２の下に設けられ、ボトムカップバー５は、両端がそれぞれトップウィングフロント肩バー３に固定して接続される。
【００１１】
また、他の実施例では、弾性フレーム付きブラジャは、センターバー７をさらに含む。前記アンダーバストバーは、トップアンダーバストバー８、ボトムアンダーバストバー９とカップバー１０とから構成される。カップバー１０は、上方に突出する人字型に形成されるようにボトムアンダーバストバー９の中間に設けられ、カップバー１０は、下方に位置する両端がそれぞれボトムアンダーバストバー９と接続され、トップアンダーバストバー８は、両側がボトムアンダーバストバー９と平行に設けられ、トップアンダーバストバー８は、中間部が上方に向いて突出するようにボトムカップバー５の二つの半円弧の中間の下方とカップバーの上方との間に位置し、二つのセンターバー７は、水平にカップバー１０内に設けられ、センターバー７は、両端がそれぞれカップバー１０の両側と接続される。
【００１２】
また、他の実施例では、弾性フレーム付きブラジャは、円弧状のカップリブ１１をさらに含む。複数（四つ）のカップリブ１１は、それぞれボトムカップバー５の二つの半円弧状の外側に設けられ、カップリブ１１は、上端及び下端がそれぞれ対応するトップウィングフロント肩バー３及びトップアンダーバストバー８と接続される。
【００１３】
本考案のフックアイおよびバック肩紐は現在技術の中で熟知されている技術を使うので、付図に表示していない。
【００１４】
以上、本実施形態及び各変形例について説明したが、上記実施形態及び各変形例は、本考案の適用例を示したに過ぎず、本考案の技術的範囲を上記実施形態の具体的構成に限定する趣旨ではない。
【符号の説明】
【００１５】
１    表地
２    カップエッジフロント肩バー
３    トップウィングフロント肩バー
４    バックウィングバー
５    ボトムカップバー
６    フックアイバー
７    センターバー
８    トップアンダーバストバー
９    ボトムアンダーバストバー
１０  カップバー
１１  カップリブ
【図１】
0003229453.tif 000003
【図２】
0003229453.tif 000004